(57)【要約】【課題】本発明は、地震などの災害で通信ケーブルが切断された場合や荒野や災害現場のような通信用のインフラが全く無い場所においても、映像や音声を遠距離伝送可能なシステムを迅速かつ容易に構築することができる移動設置型映像音声伝送システムを提供するものである。【解決手段】本発明の移動設置型映像音声伝送システムは、映像エンコーダ、音声エンコーダ、音声デコーダ及び無線機を備えた子機と、映像デコーダ、音声エンコーダ、音声デコーダ及び無線機を備えた親機と、該親機と前記子機との間に設置され親機と子機の伝送信号を中継する無線機を備えた中継機とから構成され、前記子機、親機及び中継機が携帯可能であることを特徴とするものである。【選択図】図１
2014072735.tif 000002
【特許請求の範囲】
【請求項１】
映像エンコーダ、音声エンコーダ、音声デコーダ及び無線機を備えた子機と、
映像デコーダ、音声エンコーダ、音声デコーダ及び無線機を備えた親機と、
該親機と前記子機との間に設置され、前記親機と前記子機の伝送信号を中継する無線機を備えた中継機とから構成され、
前記子機、前記親機及び前記中継機が携帯可能であることを
特徴とする移動設置型映像音声伝送システム。
【請求項２】
前記子機、前記親機及び前記中継機がそれぞれ機器駆動用バッテリーを備えた防水ケース内に収納されていることを特徴とする請求項１に記載の移動設置型映像音声伝送システム。
【請求項３】
前記親機と、前記中継機には、無指向性コーリニアアンテナと指向性平面アンテナとを有するダイバーシティ用アンテナが備えられていることを特徴とする請求項１又は請求項２に記載の移動設置型映像音声伝送システム。
【発明の詳細な説明】
【技術分野】
【０００１】
本発明は、映像音声伝送システムに関し、殊に、通信インフラが全く無い荒野や災害地等の場所においても映像や音声を遠距離伝送できるシステムを迅速かつ容易に構築することができる移動設置型映像音声伝送システムに関するものである。
【背景技術】
【０００２】
従来から、敷地の広い工場などにおいては、中央管理室等で各場所の点検や管理を行なうために、各場所の映像を中央管理室等に伝送する映像伝送システムが広く導入されている（例えば、特許文献１参照）。
【０００３】
このような従来の映像伝送システムの構成例を図５に示す。図５において、５１は中央管理室等に設置されているモニターを具えたパーソナルコンピュータであり、このパーソナルコンピュータ５１は、ルーター５２を介して、映像信号を受信するために工場等内の各場所に予め設置されている無線機５３に接続されている。ここで、パーソナルコンピュータ５１とルーター５２と無線機５３等は、通常は通信ケーブル５４によって接続されている。
【０００４】
このような従来の映像伝送システムにおいては、各場所の被写体を撮像するカメラとしてＩＰカメラ５５が一般的に用いられており、このＩＰカメラ５５から得られる映像信号をバッテリー５７で駆動される無線機５６によって無線機５３に伝送している。
【０００５】
図５に示した従来の映像伝送システムにおいては、無線機５６と無線機５３との通信が可能な範囲内であれば、ＩＰカメラ５５を移動させても、ＩＰカメラ５５で写した映像をパーソナルコンピュータ５１のモニターで見ることができる。
【先行技術文献】
【特許文献】
【０００６】
【特許文献１】特開２００５−１３０４０１号公報
【発明の概要】
【発明が解決しようとする課題】
【０００７】
しかしながら、図５に示した従来の映像伝送システムにおいては、地震などの災害で通信ケーブル５４が切断された場合にはシステムが機能しなくなり、通信ケーブル５４の切断場所の発見やその修理または新たな通信ケーブルの施設など、システムの復旧に多大の時間を要してしまうという問題点があった。
【０００８】
さらに、このような災害時においては、日常的にパーソナルコンピュータ５１やＩＰカメラ５５を操作している作業員を確保できるかどうか分からず、このような日常的に機器を操作している作業員が確保できない場合には、システムを復旧させたとしてもシステムを使用することができないという問題点もあった。
【０００９】
そこで、本発明は、このような問題点を解決して、地震などの災害で通信ケーブル５４が切断された場合や通信用のインフラが全く無い場所においても、映像や音声を遠距離伝送可能なシステムを迅速かつ容易に構築することができる移動設置型映像音声伝送システムを提供するものである。
【課題を解決するための手段】
【００１０】
すなわち、本発明の移動設置型映像音声伝送システムは、映像エンコーダ、音声エンコーダ、音声デコーダ及び無線機を備えた子機と、映像デコーダ、音声エンコーダ、音声デコーダ及び無線機を備えた親機と、該親機と前記子機との間に設置され、前記親機と前記子機の伝送信号を中継する無線機を備えた中継機とから構成され、前記子機、前記親機及び前記中継機が携帯可能であることを特徴とする。
【００１１】
また、本発明の子機，親機及び中継機は、それぞれ機器駆動用バッテリーを備えた防水ケース内に収納されていることを特徴とする。
【００１２】
さらに、本発明の親機と中継機には、無指向性コーリニアアンテナと指向性平面アンテナとを有するダイバーシティ用アンテナが備えられていることを特徴とする。
【発明の効果】
【００１３】
本発明によれば、地震などの災害で通信ケーブルが切断された場合や荒野や災害現場のような通信用のインフラが全く無い場所においても、映像や音声を遠距離伝送可能なシステムを迅速かつ容易に構築することができるとともに、一般の人が家庭で使用しているビデオカメラやテレビ受像機等の家庭用映像機器を用いて画像を撮ったり見たりすることができるという効果を奏する。
【図面の簡単な説明】
【００１４】
【図１】本発明の実施例１の構成図である。
【図２】本発明の実施例１に使用する無線機の説明図である。
【図３】本発明の実施例１の構成の説明図である。
【図４】本発明の実施例１に使用する付属外部アンテナの構成の説明図である。
【図５】従来の映像伝送システムの構成図である。
【発明を実施するための形態】
【００１５】
以下、図面を用いて本発明の実施例を説明する。図１は、本発明の実施例の構成を示した構成図である。
【００１６】
図１に示したように、本実施例は、撮像手段（カメラ）Ｃによって撮られた映像を伝送信号に変換して送信する子機１０と、受信した伝送信号を映像信号に変換して映像表示手段（モニター）Ｖに出力する親機２０と、伝送信号を中継する２台の中継機３０によって構成されている。
【００１７】
子機１０はバッテリー１２によって駆動される無線機１１を、親機２０はバッテリー２２によって駆動される無線機２１を、中継機３０はバッテリー３２によって駆動される無線機３１をそれぞれ具えている。
【００１８】
この無線機１１，２１，３１は、図２に示したように、各無線機の伝送信号による通信が可能な範囲内においては、どの無線機とでも相互に、固有の電波によって他機と混信することなく通信することができるアドホック通信が可能な無線機によって構成されている。
【００１９】
ここで、図１に示したように、子機１０には、無線機１１の他にバッテリー１２によって駆動される映像エンコーダ１３，音声デコーダ１４，音声エンコーダ１５が配設されている。
【００２０】
映像エンコーダ１３は、家庭用のビデオカメラ等の撮像手段Ｃから外部に出力される映像信号であるＮＴＳＣ信号を入力して送信用信号に変換して無線機１１に出力する。
【００２１】
音声デコーダ１４は、無線機１１から出力される受信信号をアナログ音声信号に変換して音声出力手段（レシーバ）Ｒに出力する。
【００２２】
音声エンコーダ１５は、集音手段（マイク）Ｍから入力するアナログ音声信号を送信用信号に変換して無線機１１に出力する。
【００２３】
親機２０には、無線機２１の他にバッテリー２２によって駆動される映像デコーダ２３，音声デコーダ２４，音声エンコーダ２５が配設されている。
【００２４】
映像デコーダ２３は、無線機２１から出力される受信信号をＮＴＳＣ信号に変換して、家庭用のテレビ受像機等の映像表示手段Ｖに映像信号として出力する。ビデオカメラ等の撮像手段Ｃから出力される映像信号であるＮＴＳＣ信号は、子機１０の映像エンコーダ１３によって送信用信号に変換されて無線機１１から伝送信号として送信される。親機２０の無線機２１で受信された映像信号は、映像デコーダ２３でＮＴＳＣ信号に変換されてテレビ受像機等の映像表示手段Ｖに出力される。
【００２５】
音声デコーダ２４は、無線機２１から出力される受信信号をアナログ音声信号に変換して音声出力手段（レシーバ）Ｒに出力する。また、音声エンコーダ２５は、集音手段（マイク）Ｍから入力するアナログ音声信号を送信用信号に変換して無線機２１に出力するから、マイクＭとレシーバＲとを用いて親機２０と子機１０とは音声対話ができる。
【００２６】
以上の本実施例によれば、家庭用のビデオカメラ等の撮像手段Ｃで扱った映像を、遠隔地に設置された家庭用のテレビ受像機等の映像表示手段Ｖによって見ることができるとともに、親機２０と子機１０との間で音声による対話も行なうことができる。ここで、本実施例においては中継機３０が２台の構成にしてあるが、この中継機の台数を増やせば、より遠い距離においても映像や音声の伝送を行なうことができる。
【００２７】
さらに、映像表示手段Ｖとして、電池を電源とする家庭用のポータブルテレビを選択すれば、本実施例は電源の無い荒野などにおいても使用することができる。
【００２８】
このように、本実施例によれば、一般の人が普段家庭で使い慣れているビデオカメラやテレビ受像機を使用して映像と音声を遠隔地に伝送するシステムを迅速かつ容易に構築することができる。ここで、無線機１１，２１，３１で使用する電波の周波数の帯域を、予め２．４ＧＨｚ帯域に選んでおけば、免許などを取得することなく一般の人でも本実施例に係るシステムをいつでも使用することができる。
【００２９】
本実施例は、無線機１１，２１，３１による通信が可能であるという条件さえ満たせば、各無線機、すなわち子機１０，親機２０，中継機３０をどのような場所にでも配置することができる。従って、本実施例に係る子機１０，親機２０，中継機３０などの機器は、どのような場所に設置されてもよいようにそれぞれ図３（ａ）〜（ｃ）に示すように、予め携帯移動が可能な防水ケースＢ内に収納してある。
【００３０】
図３（ａ）〜（ｃ）は、親機２０の外観構成を示したものであり、（ａ）は外観構成の斜視図、（ｂ）は防水ケースＢを開いた状態の内部の外観構成を示した図、（ｃ）は防水ケースＢの側面の構成を示した図である。
【００３１】
ここで、図３（ｂ）に示したようにバッテリー２２や無線機２１などの機器は全て防水ケースＢ内に収納されており、図３（ａ）に示した付属外部アンテナ４０や図１に示した映像表示手段（モニター）Ｖ等の外部の機器とは、図３（ｃ）に示した端子Ｔを介してケーブルによって接続するように構成している。
【００３２】
本実施例の親機２０と中継機３０に使用する付属外部アンテナ４０は、図３（ａ）に示したように無指向性コーリニアアンテナ４１と指向性平面アンテナ４２とを有するダイバーシティ用アンテナで構成されている。従って、図４に示したように、指向性平面アンテナ４２が設けられているので、親機２０や中継機３０の付属外部アンテナ４０を設置する際に、指向性平面アンテナ４２の向きを調整することにより、より好ましい電波状況での通信状態を容易に得ることができる。
【００３３】
付属外部アンテナを有する前記中継機は、前記親機の設置場所と前記子機が存在する場所との間に複数個設置されており、当該複数個の中継機３０のそれぞれは、前記親機２０の設置場所から前記子機１０が存在する場所に至るルートに沿って設置する順序が予め決められているのが好ましい。
【００３４】
本実施例においては、無線機１１，２１，３１をアドホック通信が可能な無線機にしてあるために、複数個の中継機３０の設定の仕方によっては、伝送信号が複数個の中継機３０の間で循環して親機２０に伝送されないという事態が生じる虞がある。
このような事態を解決する方法として、親機２０の設置場所から子機１０の存在する場所に至るルートに沿って、複数個の中継機３０の間の伝送順序を予め個々の中継機３０に割り振って設定しておくのがよい。この方法によれば、複数の中継機３０間で伝送信号が伝送順序に従って伝送されることになるから、中継機３０の間で伝送信号が循環して親機２０に伝送されないという不都合な事態を防ぐことができる。
【００３５】
具体的に説明するならば、親機２０と子機１０との間に複数個の中継機３０を設置している場合に、これら複数個の中継機３０のいずれもが子機１０と通信が可能でかつ複数個の中継機３０のうち隣り合う中継機３０同士が互いに双方向に通信可能なように設定すると共に、複数個の中継機３０のうち親機２０側に最も近く設置している中継機３０のみが親機２０と双方向に通信が可能なように設定すれば良い。このようにすれば、伝送信号が複数個の中継機３０間であらかじめ割り振った伝送順序にしたがって伝送されることになり、親機２０側に最も近く設置されている中継機３０から親機２０に伝送されることになるから、伝送信号がある一つの中継機３０を飛び越えて親機２０に伝送されてしまうような事態を防ぐことができる。
【符号の説明】
【００３６】
１０  子機
１１，２１，３１  無線機
１２，２２，３２  バッテリー
１３  映像エンコーダ
１４，２４  音声デコーダ
１５，２５  音声エンコーダ
２０  親機
２３  映像デコーダ
３０  中継機
４０  付属外部アンテナ
４１  無指向性コーリニアアンテナ
４２  指向性平面アンテナ
５１  パーソナルコンピュータ
５２  ルーター
５３，５６  無線機
５４  通信ケーブル
５５  ＩＰカメラ
５７  バッテリー
Ｂ  防水ケース
Ｃ  撮像手段（カメラ）
Ｍ  集音手段（マイク）
Ｒ  音声出力手段（レシーバ）
Ｔ  端子
Ｖ  映像表示手段（モニター）
【図１】
2014072735.tif 000003
【図２】
2014072735.tif 000004
【図３】
2014072735.tif 000005
【図４】
2014072735.tif 000006
【図５】
2014072735.tif 000007